(57)【要約】【課題】端部が折り曲げられていない刷版を、その印刷面を極力傷つけることなく、保持可能な刷版ストッカを提供する。【解決手段】刷版ストッカ２０は、刷版Ｓの鉛直下端に当接して刷版Ｓを受ける受け部材２２と、受け部材２２より鉛直上方に設けられ、略棒状をなし、水平方向に延びて刷版を支持する支持部材３０と、支持部材３０に設けられ、刷版Ｓの印刷面Ｐと接触する接触部材３４とを有する。略棒状の支持部材３０に設けられた接触部材３４で刷版Ｓと接触するため、刷版Ｓの印刷面Ｐと接触する面積を極力小さいものとしつつ、端部が折り曲げられていない刷版Ｓや、端部が折り曲げられた刷版を、その印刷面Ｐを極力傷つけることなく保持することができる。【選択図】図１
2009073054.tif 000002
【特許請求の範囲】
【請求項１】
版胴を有する印刷機の近傍に設けられ、版胴へ取り付ける刷版又は版胴から取り外された刷版を保持する刷版ストッカであって、
刷版の鉛直下端に当接して刷版を受ける受け部材と、
受け部材より鉛直上方に設けられ、略棒状をなし、水平方向に延びて刷版を支持する支持部材と、
支持部材に設けられ、刷版の印刷面と接触する接触部材と、
を有することを特徴とする刷版ストッカ。
【請求項２】
請求項１に記載の刷版ストッカにおいて、
接触部材の外表面は、撥油性樹脂で構成されていることを特徴とする刷版ストッカ。
【請求項３】
請求項１又は２に記載の刷版ストッカにおいて、
支持部材は、鉛直方向に間隔をあけて２つ設けられており、それぞれ刷版の異なる部位を支持することを特徴とする刷版ストッカ。
【請求項４】
請求項１〜３のいずれか１項に記載の刷版ストッカにおいて、
支持部材は、支持部材が延びる方向と鉛直方向との双方に直交する方向に間隔をあけて、複数セット設けられていることを特徴とする刷版ストッカ。
【請求項５】
請求項１〜４のいずれか１項に記載の刷版ストッカにおいて、
印刷機は、版胴における刷版の版交換操作を実行可能な版交換操作パネルが設けられており、
刷版ストッカは、印刷機に沿って設けられた作業用通路を挟んで、版交換操作パネルに対向するよう設けられている
ことを特徴とする刷版ストッカ。
【発明の詳細な説明】
【技術分野】
【０００１】
本発明は、版胴を有する印刷機の近傍に設けられ、版胴へ取り付ける刷版又は版胴から取り外された刷版を保持する刷版ストッカに関する。
【背景技術】
【０００２】
従来から、版胴に刷版を巻き付けて印刷を行う印刷機として、枚葉グラビア印刷機や，枚葉オフセット印刷機等が知られている。このような印刷機は、印刷する色ごとに、印刷ユニットが設けられており、印刷ユニットは、一般的に、版胴、ゴム胴、及び圧胴等から構成されている。
【０００３】
このような版胴には、その外周面に、印刷画像を形成するための印刷面を有する刷版が装着される。刷版は、薄いアルミ板等で構成されており、印刷物に応じて製作される。印刷機は、版胴に刷版を巻き付けて固定して印刷を行う。印刷機の作業員は、印刷物に応じて、版胴に装着する刷版を交換することとなる。
【０００４】
このような刷版の交換作業を容易にするため、下記の特許文献１には、複数枚の刷版を同じストッカ内に分別して収容すると共に、印刷機に沿ってストッカを搬送する技術が開示されている。
【０００５】
【特許文献１】特開２００５−７６８８号公報
【発明の開示】
【発明が解決しようとする課題】
【０００６】
ところで、上述のような刷版には、版胴に固定するために、刷版の端部が折り曲げられているものと、折り曲げられていないものがある。特許文献１のストッカは、端部が折り曲げられた刷版を収容するためのものであり、ストッカに設けられた溝に、刷版の折り曲げられた部分を引っ掛けて吊り下げることで、刷版を収容することができる。
【０００７】
しかし、端部が折り曲げられていない刷版を収容するには、特許文献１のストッカを適用することは困難である。例えば、特許文献１のストッカの分離プレートと、分離プレートと略平行に延びる支持用ブラケットとの間に、刷版を挿し込んで収容したのでは、刷版の印刷面が分離プレート又は支持用ブラケットに当たって傷がつく虞がある。したがって、版胴へ取り付ける刷版又は版胴から取り外された刷版を保持する刷版ストッカには、端部が折り曲げられていない刷版を、印刷面をなるべく傷つけることなく保持する技術が求められている。
【０００８】
本発明は、上記に鑑みてなされたものであって、端部が折り曲げられていない刷版を、その印刷面を極力傷つけることなく、保持可能な刷版ストッカを提供することを目的とする。
【課題を解決するための手段】
【０００９】
上記の目的を達成するために、本発明に係る刷版ストッカは、版胴を有する印刷機の近傍に設けられ、版胴へ取り付ける刷版又は版胴から取り外された刷版を保持する刷版ストッカであって、刷版の鉛直下端に当接して刷版を受ける受け部材と、受け部材より鉛直上方に設けられ、略棒状をなし、水平方向に延びて刷版を支持する支持部材と、支持部材に設けられ、刷版の印刷面と接触する接触部材とを有することを特徴とする。
【００１０】
本発明に係る刷版ストッカにおいて、接触部の外表面は、撥油性樹脂で構成されているものとすることができる。
【００１１】
本発明に係る刷版ストッカにおいて、支持部材は、鉛直方向に間隔をあけて２つ設けられており、それぞれ刷版の異なる部位を支持するものとすることができる。
【００１２】
本発明に係る刷版ストッカにおいて、支持部材は、支持部材が延びる方向と鉛直方向との双方に直交する方向に間隔をあけて、複数セット設けられているものとすることができる。
【００１３】
本発明に係る刷版ストッカにおいて、印刷機は、版胴における刷版の版交換操作を実行可能な版交換操作パネルが設けられており、刷版ストッカは、印刷機に沿って設けられた作業用通路を挟んで、版交換操作パネルに対向するよう設けられているものとすることができる。
【発明の効果】
【００１４】
本発明に係る刷版ストッカによれば、刷版の鉛直下端に当接して刷版を受ける受け部材と、受け部材より鉛直上方に設けられ、略棒状をなし、水平方向に延びて刷版を支持する支持部材と、支持部材に設けられ、刷版の印刷面と接触する接触部材と、を有するものとした。略棒状の支持部材に設けられた接触部材で刷版と接触して支持するため、刷版の印刷面と刷版ストッカが接触する面積を極力小さいものとしつつ、端部が折り曲げられている刷版と、端部が折り曲げられていない刷版の双方を、その印刷面を極力傷つけることなく保持することができる。
【００１５】
本発明に係る刷版ストッカにおいて、接触部材の外表面は、撥油性樹脂で構成されているものすることで、インクの付着した刷版の印刷面が、支持部材の接触部材に接触して当該接触部材を汚損してしまうことを抑制することができる。
【００１６】
本発明に係る刷版ストッカにおいて、支持部材は、鉛直方向に間隔をあけて２つ設けられており、それぞれ刷版の異なる部位を支持するものとすることで、刷版をなるべく撓ませることなく保持することができる。
【００１７】
本発明に係る刷版ストッカにおいて、支持部材は、支持部材が延びる方向と鉛直方向との双方に直交する方向に間隔をあけて、複数セット設けられているものとすることで、複数の刷版を保持することができ、版胴への刷版の入れ替え等の交換作業を容易なものとすることができる。
【００１８】
本発明に係る刷版ストッカにおいて、印刷機は、版胴における刷版の版交換操作を実行可能な版交換操作パネルが設けられているものとし、刷版ストッカは、印刷機に沿って設けられた作業用通路を挟んで、版交換操作パネルに対向するよう設けられているものとすることで、刷版の脱着に係る作業員の動線を極力短くして、作業員の作業負担を軽減することができる。
【発明を実施するための最良の形態】
【００１９】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【実施例】
【００２０】
まず、本実施例に係る刷版ストッカが適用される印刷機の概略構成について、図２を用いて説明する。図２は、印刷機の概略構成を示す縦断面図である。
【００２１】
図２に示すように、印刷機１は、印刷用のシート（以下、印刷シートと記す）を一枚ずつ繰り出して印刷する枚葉印刷機であり、給紙する給紙装置２と、給紙、搬送される印刷シートに印刷を施す印刷部３と、印刷が施された印刷シートを排紙する排紙部４等を有している。給紙部２から供給された印刷シートは、印刷部３で印刷が施されて、排紙部で紙が積み重ねられる。
【００２２】
印刷部３には、印刷する色ごとに、複数の印刷ユニット１０が設けられている。この印刷機１では、例えば、Ｃ（シアン）、Ｍ（マゼンダ）、Ｙ（イエロー）及びＢＬ（ブラック）などの異なる４つの色に、それぞれ対応して印刷ユニット１０が設けられる。なお、以下の説明において、印刷シートが進行する方向であり、印刷機１において各印刷ユニット１０が配列される方向を、ライン方向と記し、図に矢印Ｌで示す。
【００２３】
印刷ユニット１０は、刷版が装着される版胴１２と、版胴１２と接するゴム胴（ブランケット胴）１４と、ゴム胴１４との間で印圧をかける圧胴１６とを有している。印刷ユニット１０は、鉛直方向上側から下側に、版胴１２、ゴム胴１４、及び圧胴１６の順で配置されている。
【００２４】
版胴１２には、その外周面に、薄いアルミ板等で構成された刷版が装着される。刷版は、版胴１２の外周面に巻き付けられ、図示しない版クランプ装置により端部が固定されて、版胴１２に装着される。刷版の表面には、印刷画像を形成するための印刷面が構成されている。刷版が装着された版胴１２は、図示しないインキ供給装置からインキの供給を受ける。版胴１２の刷版に供給されたインキは、ゴム胴１４に転写される。ゴム胴１４に転写されたインキ（印刷画像）は、ゴム胴１４と圧胴１６との間を通る印刷シートに転写される。なお、版胴１２に装着される刷版は、印刷物（印刷画像）に応じて交換される。なお、以下の説明において、版胴１２における刷版の交換を、「版交換」と記す。
【００２５】
次に、本実施例に係る刷版ストッカと、印刷ユニットの周辺構成について、図１を用いて説明する。図１は、図２のＡ−Ａ線による断面図であり、印刷ユニットの周辺構成を示す横断面図である。
【００２６】
図１に示すように、印刷ユニット１０の一方の側には、刷版の交換に係る操作を制御するための版交換操作パネル５０が設けられている。版交換操作パネル５０側には、印刷ユニット１０の版胴１２、ゴム胴１４、圧胴１６を回転駆動するための駆動装置（図示せず）が設けられている。つまり、印刷ユニット１０のうち、駆動装置（図示せず）を有する側に、上述の版交換操作パネル５０が設けられている。
【００２７】
また、印刷ユニット１０に対して、駆動装置及び版交換操作パネル５０を有する側には、作業員が版交換に係る作業を実行できるよう足場６０が設けられている。作業員は、階段６２を伝って足場６０に上り、版交換に係る作業、例えば、版交換操作パネル５０を操作して、版胴１２の版クランプ装置の制御を行うことができる。また、足場６０上には、物置台６４が設けられており、足場６０からは、物置台６４を支持する支柱６６が延設されている。
【００２８】
このように、足場６０上には、印刷ユニット１０の版交換操作パネル５０と、物置台６４の支柱６６に挟まれて、作業員が通行し且つ版交換に係る作業を行うことが可能な作業員用通路７０が構成されている。作業員用通路７０は、印刷ユニット１０に隣接し、印刷機１に沿ってライン方向Ｌ（図１参照）に延びている。この足場６０上の作業員通路７０は、印刷ユニット１０に対して、上述の駆動装置や版交換操作パネル５０が設けられた側の作業用通路であり、以下の説明において、「駆動側作業用通路」と記す。これに対して、印刷ユニット１０を挟んで、駆動側作業用通路７０と反対側の通路７４には、色調整など、版交換とは関係ない印刷機１の操作を行うための作業用通路である操作側作業用通路７４が構成されている。
【００２９】
また、足場６０上には、本実施例に係る刷版ストッカ２０が設けられている。刷版ストッカ２０は、駆動側作業用通路７０のうち、物置台６４の支柱６６側に配設されている。つまり、刷版ストッカ２０は、印刷機１に沿って設けられた作業用通路である駆動側作業用通路７０を挟んで、版交換操作パネル５０と対向するよう設けられている。
【００３０】
刷版ストッカ２０は、刷版Ｓ１，Ｓ２の鉛直下端に当接して刷版Ｓ１，Ｓ２を受ける受け部材２２と、受け部材２２より鉛直上方に設けられ、略棒状をなし、水平方向に延びて刷版を支持する支持部材３０とを有している。受け部材２２は、足場６０に固定されており、支持部材３０は、ブラケット２６を介して物置台６４の支柱６６に固定されている。
【００３１】
受け部材２２は、断面略Ｌ字状をなし、水平方向を駆動側作業用通路７０に沿って延設されている。受け部材２２のＬ字状の谷側の折り目が、印刷ユニット１０側を向くように足場６０に固定されている。受け部材２２は、駆動側作業用通路７０に沿って、水平方向であり且つライン方向Ｌ（図１参照）に延びている。刷版ストッカ２０において、受け部材２２は、そのＬ字状の谷側の折り目に、版胴１２から取り外された状態（取り付ける前の状態）の刷版Ｓ１，Ｓ２の鉛直下側の端を当接させて、刷版Ｓ１，Ｓ２を受ける。
【００３２】
なお、受け部材２２は、複数のＬ字状部材をライン方向に所定の間隔をあけて配設するものとしても良い。また、受け部材２２は、足場６０と一体に構成されるものとしても良い。
【００３３】
支持部材３０は、受け部材２２に対して鉛直上方に設けられ、且つ、受け部材２２に対して版交換操作パネル側、すなわち駆動用通路７０側に、複数設けられている。各支持部材３０は、受け部材２２の谷側の折り目が延びる方向と同一の方向、すなわち水平方向を駆動側作業用通路７０に沿う方向に延びている。
【００３４】
次に、刷版ストッカ２０の支持部材３０の詳細な構成について、図３を用いて説明する。図３は、図２に矢印Ｂで示す方向から見た、支持部材の構成を説明する上面図である。図４は、支持部材の構成を説明する断面図である。
【００３５】
図３に示すように、支持部材３０は、略棒状をなし、駆動側作業用通路７０に沿って水平方向に延びる芯部材３２と、芯部材３２に設けられ、刷版の印刷面と接触する接触部材３４とを有している。芯部材３２は、支柱６６から延びるブラケット２６に固定されている。芯部材３２には、棒状の部材や管（パイプ）等で構成することができる。
【００３６】
一方、接触部材３４は、図４に示すように、Ｏリング、すなわち円環状のゴム製リングで構成されており、その中心を芯部材３２に通して装着されて、支持部材３２を構成している。このようにして、接触部材３４は、図３に示すように、芯部材３２が延びる方向に、所定の間隔をあけて、複数、支持部材３０に設けられている。接触部材４３の外表面３４ａは、撥油性樹脂で構成されている。撥油性樹脂には、例えば、ポリテトラフルオロエチレン（ＰＴＦＥ）等のフッ素樹脂を用いることができる。
【００３７】
図１及び図４に示すように、刷版Ｓの鉛直下端を受け部材２２に当接させて、刷版Ｓの印刷面Ｐを駆動側作業用通路７４に向けて支持部材３０に立てかけると、支持部材３０に設けられた接触部材３４の外表面３４ａが印刷面Ｐに接触することとなる。接触部材３４の外表面３４ａは、撥油性樹脂で構成されているため、印刷面Ｐのインキにより汚損されにくく、また、接触部材３４の外表面３４ａに付着したインキを容易に拭き取ることができる。このような接触部材３４が芯部材３２に複数配列されて、支持部材３０が構成されている。支持部材３０は、略棒状をなし、水平方向に延びて、刷版Ｓを支持している。
【００３８】
以上ように構成された支持部材３０は、印刷ストッカ２０において複数配列されて、２枚の刷版Ｓ１，Ｓ２を保持するよう構成されており、以下に図５を用いて詳細を説明する。図５は、刷版ストッカにおける支持部材の配列を示す断面図である。
【００３９】
図５に示すように、印刷ストッカ２０において、刷版Ｓ１を支持する支持部材３０は、鉛直方向に間隔Ｈをあけて２つ設けられており、刷版Ｓ１の異なる部位を支持している。同様に、刷版Ｓ２を支持する支持部材３０Ｂも、鉛直方向に間隔Ｖをあけて２つ設けられている。刷版ストッカ２０は、１枚の刷版Ｓ１（Ｓ２）を２つの支持部材３０（３０Ｂ）で支持することで、刷版Ｓ１（Ｓ２）をなるべく撓ませることなく、保持することができる。
【００４０】
このように、刷版ストッカ２０には、刷版Ｓ１を支持する一対の支持部材３０と、刷版Ｓ２を支持する一対の支持部材３０Ｂが設けられている。すなわち、２つの支持部材３０が、刷版Ｓ１を支持する１セットの支持部材を構成しており、２つの支持部材３０Ｂが、刷版Ｓ２を支持する１セットの支持部材を構成している。
【００４１】
刷版Ｓ１を支持する支持部材３０と、刷版Ｓ２を支持する支持部材３０Ｂは、当該支持部材３０（３０Ｂ）が延びる方向と鉛直方向との双方に直交する方向に間隔Ｈをあけて設けられている。つまり、支持部材３０，３０Ｂは、支持部材３０（３０Ｂ）が延びる方向と鉛直方向との双方に直交する方向に間隔Ｈをあけて、複数セット設けられている。なお、図１に示すように、刷版Ｓ１，Ｓ２の鉛直下端に当接する受け部材２２は、１つのもので共用することができる。このようにして、刷版ストッカ２０は、２つの刷版Ｓ１，Ｓ２を保持することができ、版胴１２への新旧２つの刷版Ｓ１，Ｓ２の入れ替え等の版交換作業を容易なものとすることができる。
【００４２】
以上に説明したように、本実施例に係る刷版ストッカ２０によれば、刷版Ｓの鉛直下端に当接して刷版Ｓを受ける受け部材２２と、受け部材２２より鉛直上方に設けられ、略棒状をなし、水平方向に延びて刷版を支持する支持部材３０と、支持部材３０に設けられ、刷版Ｓの印刷面Ｐと接触する接触部材３４と、を有するものとした。略棒状の支持部材３０に設けられた接触部材３４で刷版Ｓと接触して支持するため、刷版Ｓの印刷面Ｐと刷版ストッカ２０が接触する面積を極力小さいものとしつつ、端部が折り曲げられていない刷版Ｓや、端部が折り曲げられていない刷版を、その印刷面Ｐを極力傷つけることなく保持することができる。
【００４３】
本実施例に係る刷版ストッカ２０において、接触部材３４の外表面３４ａは、撥油性樹脂で構成されているものすることで、インクの付着した刷版Ｓの印刷面Ｐが、支持部材３０の接触部材３４に接触して当該接触部材３４を汚損してしまうことを抑制することができる。
【００４４】
本実施例に係る刷版ストッカ２０において、支持部材３０は、鉛直方向に間隔をあけて２つ設けられており、それぞれ刷版Ｓの異なる部位を支持するものとすることで、刷版Ｓをなるべく撓ませることなく保持することができる。
【００４５】
本実施例に係る刷版ストッカ２０において、支持部材３０，３０Ｂは、支持部材３０（３０Ｂ）が延びる方向と鉛直方向との双方に直交する方向に間隔Ｈをあけて、複数セット設けられているものとすることで、複数の刷版Ｓ１，Ｓ２を保持することができ、版胴１２への刷版Ｓ１，Ｓ２の入れ替え等の交換作業を容易なものとすることができる。
【００４６】
本発明に係る刷版ストッカ２０において、印刷機１は、版胴１２における刷版Ｓの版交換操作を実行可能な版交換操作パネル５０が設けられているものとし、刷版ストッカ２０は、印刷機１に沿って設けられた作業用通路７０を挟んで、版交換操作パネル５０に対向するよう設けられているものとすることで、刷版Ｓの脱着に係る作業員の動線を極力短くして、作業員の作業負担を軽減することができる。
【産業上の利用可能性】
【００４７】
以上のように、本実施例に係る刷版ストッカは、版胴を有する印刷機に有用である。
【図面の簡単な説明】
【００４８】
【図１】図２のＡ−Ａ線による断面図であり、本実施例に係る印刷ユニットの周辺構成を示す横断面図である。
【図２】本実施例に係る印刷機の概略構成を示す縦断面図である。
【図３】図２に矢印Ｂで示す方向から見た、本実施例に係る支持部材の構成を説明する上面図である。
【図４】本実施例に係る支持部材の構成を説明する断面図である。
【図５】本実施例に係る刷版ストッカにおける支持部材の配列を示す断面図である。
【符号の説明】
【００４９】
１  印刷機
１０  印刷ユニット
１２  版胴
２０  刷版ストッカ
２２  受け部材
３０，３０Ｂ  支持部材
３２  芯部材
３４  接触部材
６０  足場
６４  物置台
６６  支柱
７０  駆動側作業用通路
Ｓ１，Ｓ２  刷版
Ｐ  印刷面
【図１】
2009073054.tif 000003
【図２】
2009073054.tif 000004
【図３】
2009073054.tif 000005
【図４】
2009073054.tif 000006
【図５】
2009073054.tif 000007